(57)【要約】【課題】画像読み取り装置に登録されるアドレスブックデータの更新を正確に行うことができる画像読み取り装置を提供する。【解決手段】更新時間記憶部４６に記憶される更新時間になると、データ取得部４７はホストＰＣ９との通信接続処理を行い、ホストＰＣ９のアドレスブックデータ記憶部８０に記憶されるアドレスブックデータの受信を開始すると同時に、データ更新部５０はデータ取得部４７により受信されるアドレスブックデータを一時記憶部４８に書き込む。データ取得部４７によりアドレスブックデータのエンドコードが検出されなかった場合、データ更新部５０は、ホストＰＣ９から全アドレスブックデータを受信できなかったと判断し、アドレスブックデータ記憶部４９に記憶されるアドレスブックデータを一時記憶部４８に記憶されるアドレスブックデータにより更新しない。【選択図】  図２
2004328576.tif 000002
【特許請求の範囲】
【請求項１】
原稿から読み取った画像データを、ネットワークを介して外部に送信可能であり、画像データの送信先を特定するためのアドレスデータを少なくとも含むアドレスブックデータを記憶するアドレスブックデータ記憶手段を有する画像読み取り装置であって、
ネットワークを介して接続された情報処理装置により作成されたアドレスブックデータを取得する取得手段と、
前記取得手段により前記情報処理装置から得られたアドレスブックデータを一時的に順次記憶する一時記憶手段と、
前記取得手段により前記情報処理装置からアドレスブックデータ全てが取得されたか否かを判定する判定手段と、
前記取得手段により前記情報処理装置からアドレスブックデータ全てが取得されたと前記判定手段により判定された場合、前記アドレスブックデータ記憶手段に記憶されるアドレスブックデータを前記一時記憶手段に記憶されるアドレスブックデータに更新する更新手段とを備えたことを特徴とする画像読み取り装置。
【請求項２】
請求項１に記載された画像読み取り装置において、
前記アドレスブックデータ記憶手段に記憶されるアドレスブックデータを更新する更新時間を記憶する時間記憶手段をさらに備え、
前記取得手段は、
前記時間記憶手段により記憶される更新時間になると、前記情報処理装置からアドレスブックデータを取得することを特徴とする画像読み取り装置。
【発明の詳細な説明】
【０００１】
【発明の属する技術分野】
本発明は、ネットワークを介して通信可能に接続される外部装置に対し、原稿から読み取った画像データを送信する画像読み取り装置に関する。
【０００２】
【従来の技術】
近年、オフィス等では、スキャナやデジタル複写機等のネットワークスキャナ装置をＬＡＮ（Ｌｏｃａｌ  Ａｒｅａ  Ｎｅｔｗｏｒｋ）等のネットワークを介して複数台のパーソナルコンピュータ，プリンタ等に接続することにより、ネットワークスキャナ装置（以下、画像読み取り装置という）で読み取った画像データを各パーソナルコンピュータ，プリンタ等の外部装置に送信することが行われている。画像読み取り装置は、データの送信先のアドレスを登録するためのアドレスブックというデータベースを有し、このアドレスブックデータの作成及び編集はホストＰＣ（Ｐｅｒｓｏｎａｌ  Ｃｏｍｐｕｔｅｒ）により行われている（例えば、特許文献１参照）。
【０００３】
【特許文献１】
特開２００１−２８５５６２号公報
【０００４】
【発明が解決しようとする課題】
しかしながら、従来の画像読み取り装置では、ホストＰＣにより作成されたアドレスブックデータを受信している際に何らかの理由により通信接続が切断された場合はホストＰＣから全てのアドレスブックデータを受信することができず、アドレスブックデータの内容に不備が生じるという問題点があった。
【０００５】
本発明は、上記問題点を解消するためになされたものであり、アドレスブックデータの更新を正確に行うことができる画像読み取り装置を提供することを目的とする。
【０００６】
【課題を解決するための手段】
本発明の請求項１に記載される画像読み取り装置は、原稿から読み取った画像データを、ネットワークを介して外部に送信可能であり、画像データの送信先を特定するためのアドレスデータを少なくとも含むアドレスブックデータを記憶するアドレスブックデータ記憶手段を有する画像読み取り装置であって、ネットワークを介して接続された情報処理装置により作成されたアドレスブックデータを取得する取得手段と、前記取得手段により前記情報処理装置から得られたアドレスブックデータを一時的に順次記憶する一時記憶手段と、前記取得手段により前記情報処理装置からアドレスブックデータ全てが取得されたか否かを判定する判定手段と、前記取得手段により前記情報処理装置からアドレスブックデータ全てが取得されたと前記判定手段により判定された場合、前記アドレスブックデータ記憶手段に記憶されるアドレスブックデータを前記一時記憶手段に記憶されるアドレスブックデータに更新する更新手段とを備えたことを特徴とする。
【０００７】
この構成によれば、前記データ取得手段による前記情報処理装置からのアドレスブックデータの受信中に前記情報処理装置との通信接続が切断され、前記データ取得手段が前記情報処理装置から全てのアドレスブックデータを受信しなかった場合は、前記データ更新手段は前記アドレスブックデータ記憶手段に記憶されるアドレスブックデータの更新を行わないので、アドレスブックデータの内容に不備が生じるのを防止することができる。
【０００８】
本発明の請求項２に記載される画像読み取り装置は、請求項１に記載された画像読み取り装置において、前記アドレスブックデータ記憶手段に記憶されるアドレスブックデータを更新する更新時間を記憶する時間記憶手段をさらに備え、前記取得手段は、前記時間記憶手段により記憶される更新時間になると、前記情報処理装置からアドレスブックデータを取得することを特徴とする。
【０００９】
この構成によれば、アドレスブックデータの自動更新を定期的に行うので、ユーザは常に最新の内容のアドレスブックデータを参照することができる。
【００１０】
【発明の実施の形態】
図１は、本発明の一実施の形態によるデジタル複合機を用いたネットワークシステムの構成を示すブロック図である。
【００１１】
図１に示すネットワークシステムは、デジタル複合機１、クライアントＰＣ２ａ，２ｂ、ホストＰＣ９、ＳＭＴＰ（Ｓｉｍｐｌｅ  Ｍａｉｌ  Ｔｒａｎｓｆｅｒ  Ｐｒｏｔｏｃｏｌ）サーバ３、外部ＰＣ５ａ，５ｂ及びプリンタ８を備える。デジタル複合機１、クライアントＰＣ２ａ，２ｂ、ホストＰＣ９、プリンタ８及びＳＭＴＰサーバ３は、ネットワークの一例であるＬＡＮ（Ｌｏｃａｌ  Ａｒｅａ  Ｎｅｔｗｏｒｋ）４を介して相互に通信可能に接続され、種々のデータ等を送受信可能な状態に構成されている。ＳＭＴＰサーバ３及び外部ＰＣ５ａ，５ｂは、ネットワークの一例であるインターネット６を介して相互に通信可能に接続され、電子メールを含む種々のデータ等を送受信可能な状態に構成されている。デジタル複合機１は、ネットワークの一例である電話回線を介して外部に設置されたファクシミリ装置７にファクス送受信可能に接続されている。
【００１２】
デジタル複合機１は、スキャナ機能、ファクシミリ機能、プリンタ機能、及びコピー機能等の複合機能を備えたディジタル方式の複写機である。デジタル複合機１では、上記の各機能を組み合わせて種々の機能が実現され、例えば、スキャナ機能として、ＰＣ送信機能、Ｅ−ｍａｉｌ送信機能、ＦＡＸ（ｆａｃｓｉｍｉｌｅ）送信機能、プリンタ出力機能等が実現される。ここで、ＰＣ送信機能とは、原稿から読み取った画像データをデジタル複合機１からＬＡＮ４を介して任意のクライアントＰＣ２ａ，２ｂ等へ直接送信する機能である。Ｅ−ｍａｉｌ送信機能とは、原稿から読み取った画像データを電子メールの添付ファイルとしてデジタル複合機１からＬＡＮ４を介してＳＭＴＰサーバ３へ直接送信し、さらにＳＭＴＰサーバ３からインターネット６を介して任意の外部ＰＣ５ａ，５ｂ等へ当該電子メールを送信することにより、原稿から読み取った画像データを電子メールの添付ファイルとして送信する機能である。ＦＡＸ送信機能とは、原稿から読み取った画像データをデジタル複合機１から電話回線を介して任意のファクシミリ装置７等へ直接送信する機能である。プリンタ出力機能とは、原稿から読み取った画像データをプリンタ８により出力させるためにデジタル複合機１からＬＡＮ４を介してプリンタ８に送信する機能である。
【００１３】
図２は、図１に示すデジタル複合機の電気的構成を主に示すブロック図である。デジタル複合機１は、スキャナ部１１、画像処理部２１、プリンタ部３１、制御部４１、ネットワークＩ／Ｆ（インターフェース）部７１、操作パネル部５１、ファクシミリ通信部７１及びＨＤＤ（ハードディスクドライブ）７４を備える。
【００１４】
操作パネル部５１は、タッチパネル部５２及び操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面、例えば、スキャナ機能実行時には、ユーザ選択、送信先選択、送信設定（原稿サイズ、送信サイズ、読み込み解像度等）等に関する情報を表示するとともに、ユーザが当該部分をタッチすることにより種々の操作指令を入力するための操作ボタン等を表示する。操作キー部５３は、ユーザが印刷実行指令、スキャン開始指令、拡大送信開始指令等を入力するために用いられる。
【００１５】
スキャナ部１１は、露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００１６】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１又はネットワークＩ／Ｆ部７１等へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００１７】
プリンタ部３１は、給紙カセット及び給紙ローラ（図示省略）等から構成される用紙搬送部３２、感光体ドラム、露光装置及び現像装置（図示省略）等から構成される画像形成部３３、転写ローラ（図示省略）等から構成される転写部３４、及び定着ローラ（図示省略）等から構成される定着部３５を含む。プリンタ部３１は、スキャナ部１１により読み取られた原稿データ、ネットワークＩ／Ｆ部７１を介してクライアントＰＣ２ａ，２ｂ等から送信された画像データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００１８】
ネットワークＩ／Ｆ部７１は、ネットワークインタフェース（１０／１００Ｂａｓｅ−ＴＸ）等を用い、ＬＡＮ４を介して接続されたクライアントＰＣ２ａ，２ｂ，プリンタ８等の間での種々のデータの送受信を制御する。ファクシミリ通信部７１は、スキャナ部１１によって読み取られた原稿の画像データを電話回線を介してファクシミリ装置７等へ送信したり、ファクシミリ装置７等から送信された画像データを受信する。
【００１９】
ＨＤＤ７４は、スキャナ部１１によって読み取られた画像データ及び当該画像データに設定されている出力形式等を記憶する。また、ＨＤＤ７４はスキャナ部１１により読み取られた画像データの送信先であるアドレスデータを含むアドレスブックデータを記憶するアドレスブックデータ記憶部４９を有する。アドレスデータには、Ｅ−ｍａｉｌ送信機能により画像データを添付した電子メールを送信する際の宛先としての電子メールアドレス、ＰＣ送信機能により画像データをＬＡＮ４上のクライアントＰＣ２ａ，２ｂに送信する際の宛先としてのクライアントＰＣ２ａ，２ｂのＩＰ（Ｉｎｔｅｒｎｅｔ  Ｐｒｏｔｏｃｏｌ）アドレス、ＦＡＸ送信機能により画像データをファクシミリ装置７に送信する際の宛先としてのＦＡＸ番号、プリンタ出力機能により画像データをプリンタ８に送信する際の宛先としてのプリンタ８のＬＡＮアドレスが記憶される。
【００２０】
ユーザがホストＰＣ９の操作部を用いて所定の操作を行うことにより、ホストＰＣ９からデジタル複合機１のアドレスブックデータ記憶部４９に記憶されるアドレスブックデータを読み出し、編集することが可能であり、当該編集されたアドレスブックデータは当該ホストＰＣ９のアドレスブックデータ記憶部８０に記憶される。
【００２１】
アドレスブックデータは、独自に開発されたアプリケーションソフトにより作成されたもの、または、ＬＤＡＰ（ｌｉｇｈｔｗｅｉｇｈｔ  ｄｉｒｅｃｔｏｒｙ  ａｃｃｅｓｓ  ｐｒｏｔｏｃｏｌ）に準拠して作成されたもののいずれを用いてもよい。このアドレスブックデータがホストＰＣ９からデジタル複合機１に送信される際は、デジタル複合機１にアドレスブックデータの送信開始を通知するためのスタートコード及びアドレスブックデータの送信終了を通知するためのエンドコードがアドレスブックデータの前後にホストＰＣ９における制御部（図示省略）により付加される。
【００２２】
制御部４１は、ＣＰＵ（Ｃｅｎｔｒａｌ  Ｐｒｏｃｅｓｓｉｎｇ  Ｕｎｉｔ）、ＣＰＵを制御する種々のプログラムなどを予め記憶するＲＯＭ（Ｒｅａｄ  Ｏｎｌｙ  Ｍｅｍｏｒｙ）およびＣＰＵの作業領域であるＲＡＭ（Ｒａｎｄｏｍ  Ａｃｃｅｓｓ  Ｍｅｍｏｒｙ）等から構成されており、更新時間記憶部４６、データ取得部４７、一時記憶部４８及びデータ更新部５０を含む。
【００２３】
更新時間記憶部４６は、アドレスブックデータ記憶部４９に記憶されるアドレスブックデータの更新時間を記憶する。データ取得部４７は、更新時間記憶部４６に記憶されるアドレスブックデータの更新時間になると、ホストＰＣ９との通信接続処理を行い、アドレスブックデータ記憶部８０に記憶されるアドレスブックデータをＬＡＮ４経由でネットワークＩ／Ｆ部７１を介して取得する。一時記憶部４８は、データ取得部４７により取得されたアドレスブックデータを一時的に記憶する。データ更新部５０は、アドレスブックデータ記憶部４９へのデータの書き込み及びデータの読み出し等を行う。更新時間記憶部４６に記憶されるアドレスブックデータの更新時間及びデータ取得部４７によりアドレスブックデータを取得する対象のホストＰＣは、ユーザが操作パネル部５１を用いて設定することが可能である。
【００２４】
図３は、デジタル複合機１に登録されるアドレスブックデータの更新処理を説明するためのフローチャートである。
【００２５】
ステップＳ１において、更新時間記憶部４６に記憶されるデータ更新時間になると、データ取得部４７がホストＰＣ９との通信接続を行うためにＬＡＮ４を介してホストＰＣ９に対し通信要求信号を送信し（ステップＳ３）、通信が可能であることを通知するための通信応答信号をホストＰＣ９から受信した場合は（ステップＳ４でＹｅｓ）、ホストＰＣ９のアドレスブックデータ記憶部８０に記憶されるアドレスブックデータの受信を開始する（ステップＳ５）。データ取得部４７は所定期間ホストＰＣ９から通信応答信号を受信しなかった場合は（ステップＳ４でＮｏ）、処理を終了する。
【００２６】
データ取得部４７によるホストＰＣ９からのアドレスブックデータの受信と同時に、データ更新部５０はデータ取得部４７により受信されたアドレスブックデータを一時記憶部４８に書き込み（ステップＳ７）、データ取得部４７によるアドレスブックデータの受信が終了するまで、ステップＳ５、Ｓ７の処理を繰り返す（ステップＳ９でＮｏ）。
【００２７】
データ取得部４７によるアドレスブックデータの受信が終了すると（ステップＳ９でＹｅｓ）、データ取得部４７は、アドレスブックデータのエンドコードをホストＰＣ９から受信したか否かを判断し（ステップＳ１１）、データ取得部４７はアドレスブックデータのエンドコードを受信したと判断した場合、データ更新部５０は、アドレスブックデータ記憶部４９に記憶されるアドレスブックデータを一時記憶部４８に記憶されるアドレスブックデータにより上書きする（ステップＳ１３）。
【００２８】
一方、データ取得部４７は、ホストＰＣ９からアドレスブックデータの受信中にエンドコードを検出しなかった場合は、ネットワークケーブルが抜ける等によりホストＰＣ９との通信処理が切断され、全てのアドレスブックデータを取得できなかったと判断し、データ更新部５０は、アドレスブックデータ記憶部４９におけるアドレスブックデータの更新を行わない。
【００２９】
このように、データ更新部５０は、データ取得部４７によるホストＰＣ９からのアドレスブックデータの受信が途中で中断された場合にはアドレスブックデータの更新を行わないので、アドレスブックデータの内容に不備が生じることがなく、ユーザは画像データの送信先を設定する際に正確な内容のアドレスブックデータを参照することができる。また、データ更新部５０は、アドレスブックデータ記憶部４９に記憶されるアドレスブックデータの自動更新を定期的に行うので、ユーザは常に最新の内容のアドレスブックデータを参照することができる。
【００３０】
【発明の効果】
本発明によれば、アドレスブックデータの自動更新を定期的に行い、情報処理装置からのアドレスブックデータの受信中に情報処理装置との通信処理が中断した場合は、アドレスブックデータの更新を行わないので、ユーザは常に正確で、かつ、最新の内容のアドレスブックデータを参照することができる。
【図面の簡単な説明】
【図１】本発明の一実施の形態によるデジタル複合機を用いたネットワークシステムの構成を示すブロック図である。
【図２】図１に示すデジタル複合機の電気的構成を主に示すブロック図である。
【図３】図２に示す制御部によるアドレスブックデータの更新処理を説明するためのフローチャートである。
【符号の説明】
１  デジタル複合機
９  ホストＰＣ
４６  更新時間起億部
４７  データ取得部
４８  一時記憶部
４９，８０  アドレスブックデータ記憶部
５０  データ更新部
【図１】
2004328576.tif 000003
【図２】
2004328576.tif 000004
【図３】
2004328576.tif 000005